(57)【要約】【課題】組み立て時に削れカスが発生することが回避され、組み立てられたレンズ鏡胴において、削れカスに起因して光学性能が悪化することが防止されたレンズ鏡胴およびレンズ鏡胴組立方法を提供することを目的とする。【解決手段】複数のレンズを収容する中空が形成されたレンズ枠が、内面と外面とに貫通した溝が形成されたものであって、その溝は、被写体側前端から結像側に向かって結像側の一部を残す位置まで延びている。【選択図】        図２
2012002946.tif 000002
【特許請求の範囲】
【請求項１】
複数のレンズと、
光軸方向前端部と後端部との双方に開口し、前記複数のレンズを収容する中空が形成され、内面と、外面と、該複数のレンズのうちの最後端側に配備される後端側レンズの後端側の面の周縁部分を押さえる後端側レンズ押さえ部とを有し、さらに前端から後端側に向かって該後端側の一部を残す位置まで延びた、前記内面と前記外面とに貫通した溝が形成されたレンズ枠と、
前記レンズ枠に支持され、該レンズ枠内に収容された前記複数のレンズのうちの最前端側に配備される前端側レンズの前端側の面の周縁部分を押さえる押さえ環とを備えたことを特徴とするレンズ鏡胴。
【請求項２】
複数のレンズと、
光軸方向前端部と後端部との双方に開口し、前記複数のレンズを収容する中空が形成され、内面と、外面と、該複数のレンズのうちの最後端側に配備される後端側レンズの後端側の面の周縁部分を押さえる後端側レンズ押さえ部とを有し、さらに前端から後端側に向かって後端まで延びた、前記内面と前記外面とに貫通した溝が形成されたレンズ枠と、
前記レンズ枠に支持され、該レンズ枠内に収容された前記複数のレンズのうちの最前端側に配備される前端側レンズの前端側の面の周縁部分を押さえる押さえ環とを備えたことを特徴とするレンズ鏡胴。
【請求項３】
前記溝の前記後端側の端部が、角の形成を免れるように丸められた形状を有することを特徴とする請求項１記載のレンズ鏡胴。
【請求項４】
前記レンズ枠が、セラミック製であることを特徴とする請求項１から３のうちのいずれか１項記載のレンズ鏡胴。
【請求項５】
前記溝を覆う覆い部材をさらに備えたことを特徴とする請求項１から４のうちのいずれか１項記載のレンズ鏡胴。
【請求項６】
前記複数のレンズにおける隣接するレンズ間に配置されて該複数のレンズとともに前記レンズ枠内に収容された間隔環をさらに備えたことを特徴とする請求項１から５のうちのいずれか１項記載のレンズ鏡胴。
【請求項７】
光軸方向前端部と後端部との双方に開口し、複数のレンズを収容する中空が形成され、内面と、外面と、該複数のレンズのうちの最後端側に配備される後端側レンズの後端側の面の周縁部分を押さえる後端側レンズ押さえ部とを有し、さらに前端から後端側に向かって該後端側の一部を残す位置まで延びた、前記内面と前記外面とに貫通した溝が形成されたレンズ枠の該溝を押し広げ、
押し広げられた状態の前記レンズ枠内に、前記複数のレンズを収容させ、
前記レンズ枠の溝の押し広げを解放し、
前記レンズ枠内に収容された前記複数のレンズのうちの最前端側に配備される前端側レンズの前端側の面の周縁部分を押さえる押さえ環を前記レンズ枠に取り付けることを特徴とするレンズ鏡胴組立方法。
【請求項８】
光軸方向前端部と後端部との双方に開口し、複数のレンズを収容する中空が形成され、内面と、外面と、該複数のレンズのうちの最後端側に配備される後端側レンズの後端側の面の周縁部分を押さえる後端側レンズ押さえ部とを有し、さらに前端から後端側に向かって該後端側の一部を残す位置まで延びた、前記内面と前記外面とに貫通した溝が形成されたレンズ枠内に、前記複数のレンズを収容させ、
前記レンズ枠の前記前端側の開口を押し縮めるように、該レンズ枠内に収容された前記複数のレンズのうちの最前端側に配備された前端側レンズの該前端側の面の周縁部分を押さえる押さえ環を該レンズ枠に取り付けることを特徴とするレンズ鏡胴組立方法。
【請求項９】
光軸方向前端部と後端部との双方に開口し、複数のレンズを収容する中空が形成され、内面と、外面と、該複数のレンズのうちの最後端側に配備される後端側レンズの後端側の面の周縁部分を押さえる後端側レンズ押さえ部とを有し、さらに前端から後端側に向かって後端まで延びた、前記内面と前記外面とに貫通した溝が形成されたレンズ枠の該溝を押し広げ、
押し広げられた状態の前記レンズ枠内に、前記複数のレンズを収容させ、
前記レンズ枠の溝の押し広げを解放し、
前記レンズ枠内に収容された前記複数のレンズのうちの最前端側に配備された前端側レンズの該前端側の面の周縁部分を押さえる押さえ環を前記レンズ枠に取り付けることを特徴とするレンズ鏡胴組立方法。
【請求項１０】
光軸方向前端部と後端部との双方に開口し、複数のレンズを収容する中空が形成され、内面と、外面と、該複数のレンズのうちの最後端側に配備される後端側レンズの後端側の面の周縁部分を押さえる後端側レンズ押さえ部とを有し、さらに前端から後端側に向かって該後端側の一部を残す位置まで延びた、前記内面と前記外面とに貫通した溝が形成されたレンズ枠の該溝を押し広げ、
押し広げられた状態の前記レンズ枠内に、前記複数のレンズを収容させ、
前記レンズ枠の溝の押し広げを解放し、
前記レンズ枠の前記前端側の開口を押し縮めるように、該レンズ枠内に収容された前記複数のレンズのうちの最前端側に配備された前端側レンズの該前端側の面の周縁部分を押さえる押さえ環を該レンズ枠に取り付けることを特徴とするレンズ鏡胴組立方法。
【請求項１１】
さらに、前記溝を覆い部材で覆うことを特徴とする請求項７から１０のうちのいずれか１項のレンズ鏡胴組立方法。
【発明の詳細な説明】
【技術分野】
【０００１】
本発明は、レンズ鏡胴およびレンズ鏡胴組立方法に関する。
【背景技術】
【０００２】
従来より、カメラ付き携帯電話のカメラや車載用カメラなどには、一般に、レンズ枠に複数のレンズが収容されたレンズ鏡胴が用いられている。このレンズ鏡胴が搭載された機器は、温度や湿度が変化する環境で使用されることが多い。例えば車載用カメラは、高温下にさらされたり低温下にさらされたりする。そのため、このレンズ鏡胴は、非常に高い信頼性、すなわち、高温・低温、温度ショックなど、厳しい環境条件下での性能安定性や耐久性が必要とされている。
【０００３】
このようなレンズ鏡胴として、鏡筒内周面にある支持部とレンズの外周部との間にはんだを介在させ、鏡筒内を密封させる技術が提案されている（例えば、特許文献１参照。）。
【０００４】
また、このようなレンズ鏡胴として、鏡筒内周面の長手方向に所定間隔をおいて設けた支持部とレンズの外周部とを、酸素の共有結合により直接接合させる技術が提案されている（例えば、特許文献２参照。）。
【０００５】
また、近年、このようなレンズ鏡胴として、不要な光を遮光することができるとともに、通気性を有し、温度変化や湿度変化の影響をほとんど受けることのない、セラミック製のレンズ枠が注目を受けてきている（例えば、特許文献１，２，３参照。）。
【０００６】
また、所定の口径をなす開口絞りを画定すると共に、鏡筒の内周面に嵌入されかつ２つのレンズ間に介在させられて光軸方向の間隔を規定する環状スペーサを備えたレンズ鏡胴が提案されている（例えば、特許文献４参照。）。
【先行技術文献】
【特許文献】
【０００７】
【特許文献１】特開２００６−２８４９９１号公報
【特許文献２】特開２００６−２９２９２７号公報
【特許文献３】特開２００７−２３８４３０号公報
【特許文献４】特開２００７−２７９５５７号公報
【発明の概要】
【発明が解決しようとする課題】
【０００８】
レンズ枠に複数のレンズが収容されたレンズ鏡胴におけるレンズ外径とレンズ枠内径との間は、組立後にレンズの軸ズレなどによる光学性能の低下を起さないよう、一般に、２０μｍ以下のクリアランスとなるように公差管理されている。
【０００９】
例えば、レンズがガラス製でありレンズ枠がセラミック製である場合には、レンズをレンズ枠に組み込む際に、芯がずれたり傾いたりした姿勢でレンズが挿入されることに起因して、両者が擦れるおそれがある。そして、レンズ外径とレンズ枠内径との間のクリアランスが２０μｍ以下となるように公差管理されていることを考慮すると、そのような擦れを回避することは極めて困難である。ガラス製のレンズとセラミック製のレンズ枠は、双方ともに硬い材料であるため、両者が擦れると削れカスが発生し、組み立てられたレンズ鏡胴において、削れカスが光学性能に悪影響を与えることとなる。
【００１０】
本発明は、上記事情に鑑み、組み立て時に削れカスが発生することが回避され、組み立てられたレンズ鏡胴において、削れカスに起因して光学性能が悪化することが防止されたレンズ鏡胴およびレンズ鏡胴組立方法を提供することを目的とするものである。
【課題を解決するための手段】
【００１１】
上記目的を達成する本発明のレンズ鏡胴のうちの第１のレンズ鏡胴は、
複数のレンズと、
光軸方向前端部と後端部との双方に開口し、上記複数のレンズを収容する中空が形成され、内面と、外面と、この複数のレンズのうちの最後端側に配備される後端側レンズの後端側の面の周縁部分を押さえる後端側レンズ押さえ部とを有し、さらに前端から後端側に向かってこの後端側の一部を残す位置まで延びた、上記内面と上記外面とに貫通した溝が形成されたレンズ枠と、
上記レンズ枠に支持され、このレンズ枠内に収容された上記複数のレンズのうちの最前端側に配備される前端側レンズの前端側の面の周縁部分を押さえる押さえ環とを備えたことを特徴とする。
【００１２】
ここで、本発明における光軸方向前端および後端は、光軸方向両端の一方と他方を区別するものである。つまり、前端側および後端側は、被写体側および結像側にそれぞれ対応する場合と、この逆に、結像側および被写体側にそれぞれ対応する場合との双方を含む意味である。
【００１３】
本発明のレンズ鏡胴のうちの第１のレンズ鏡胴は、複数のレンズを収容する中空が形成されたレンズ枠が、内面と外面とに貫通した溝が形成されたものであって、その溝は、前端から後端側に向かって後端側の一部を残す位置まで延びている。従って、この第１のレンズ鏡胴によれば、光軸方向両端の開口が複数のレンズそれぞれの径に等しいかその径よりも僅かに小さな径を有するようにレンズ枠を形成することによって、このレンズ鏡胴の組み立て時において、その溝が押し広げられた状態のレンズ枠内に複数のレンズを収容させた後に元に戻すことにより、複数のレンズをレンズ枠内に固定することができる。あるいは、この第１のレンズ鏡胴によれば、光軸方向両端の開口が複数のレンズそれぞれの径よりも大きな径を有するようにレンズ枠を形成することによって、このレンズ鏡胴の組み立て時において、レンズ枠内に複数のレンズを収容させた後にレンズ枠の前端側の開口を押し縮めるように押さえ環をレンズ枠に取り付けることにより、複数のレンズをレンズ枠内に固定することができる。よって、この第１のレンズ鏡胴によれば、レンズ枠内に複数のレンズを収容させるときに、両者が擦れて削れカスが発生することが回避される。このため、削れカスに起因して光学性能が悪化することが防止される。
【００１４】
また、上記目的を達成する本発明のレンズ鏡胴のうちの第２のレンズ鏡胴は、
複数のレンズと、
光軸方向前端部と後端部との双方に開口し、上記複数のレンズを収容する中空が形成され、内面と、外面と、この複数のレンズのうちの最後端側に配備される後端側レンズの後端側の面の周縁部分を押さえる後端側レンズ押さえ部とを有し、さらに前端から後端側に向かって後端まで延びた、上記内面と上記外面とに貫通した溝が形成されたレンズ枠と、
上記レンズ枠に支持され、このレンズ枠内に収容された上記複数のレンズのうちの最前端側に配備される前端側レンズの前端側の面の周縁部分を押さえる押さえ環とを備えたことを特徴とする。
【００１５】
本発明のレンズ鏡胴のうちの第２のレンズ鏡胴は、複数のレンズを収容する中空が形成されたレンズ枠が、内面と外面とに貫通した溝が形成されたものであって、その溝は、前端から後端側に向かって後端まで延びている。従って、この第２のレンズ鏡胴によれば、光軸方向両端の開口が複数のレンズそれぞれの径に等しいかその径よりも僅かに小さな径を有するようにレンズ枠を形成することによって、このレンズ鏡胴の組み立て時において、その溝が押し広げられた状態のレンズ枠内に複数のレンズを収容させた後に元に戻すことにより、複数のレンズをレンズ枠内に固定することができる。よって、この第２のレンズ鏡胴によれば、レンズ枠内に複数のレンズを収容させるときに、両者が擦れて削れカスが発生することが回避される。このため、削れカスに起因して光学性能が悪化することが防止される。
【００１６】
ここで、本発明のレンズ鏡胴のうちの第１のレンズ鏡胴は、上記溝の後端側の端部が、角の形成を免れるように丸められた形状を有することが好ましい。
【００１７】
このような好ましい形態によれば、このレンズ鏡胴の組み立て時において、溝を押し広げたり、レンズ枠の開口を押し縮めたりしても、応力集中によって溝の後端側の端部が破断することが回避される。
【００１８】
また、本発明のレンズ鏡胴は、上記レンズ枠が、セラミック製であることが好ましい。
【００１９】
このような好ましい形態によれば、削れカスに起因して光学性能が悪化することが防止されるとともに、レンズ枠が受ける温度変化や湿度変化の影響が抑えられる。
【００２０】
また、本発明のレンズ鏡胴は、上記溝を覆う覆い部材をさらに備えたことも好ましい形態である。
【００２１】
このような好ましい形態によれば、遮光性および防塵性が確保される。
【００２２】
また、本発明のレンズ鏡胴は、上記複数のレンズにおける隣接するレンズ間に配置されてそれら複数のレンズとともに上記レンズ枠内に収容された間隔環をさらに備えたという形態も好ましい。
【００２３】
このような好ましい形態によれば、複数のレンズそれぞれの光軸方向の位置が確実に決められる。
【００２４】
また、上記目的を達成する本発明のレンズ鏡胴組立方法のうちの第１のレンズ鏡胴組立方法は、
光軸方向前端部と後端部との双方に開口し、複数のレンズを収容する中空が形成され、内面と、外面と、この複数のレンズのうちの最後端側に配備される後端側レンズの後端側の面の周縁部分を押さえる後端側レンズ押さえ部とを有し、さらに前端から後端側に向かってこの後端側の一部を残す位置まで延びた、上記内面と上記外面とに貫通した溝が形成されたレンズ枠のこの溝を押し広げ、
押し広げられた状態の上記レンズ枠内に、上記複数のレンズを収容させ、
上記レンズ枠の溝の押し広げを解放し、
上記レンズ枠内に収容された上記複数のレンズのうちの最前端側に配備される前端側レンズの前端側の面の周縁部分を押さえる押さえ環を上記レンズ枠に取り付けることを特徴とする。
【００２５】
本発明のレンズ鏡胴組立方法のうちの第１のレンズ鏡胴組立方法は、光軸方向両端の開口が複数のレンズそれぞれの径に等しいかその径よりも僅かに小さな径を有するレンズ枠を用いる組立方法である。そして、この第１のレンズ鏡胴組立方法は、溝が押し広げられた状態のレンズ枠内に複数のレンズを収容させた後に押し広げを解放することにより、複数のレンズをレンズ枠内に固定する組立方法である。従って、この第１のレンズ鏡胴組立方法によれば、レンズ枠内に複数のレンズを収容させるときに、両者が擦れて削れカスが発生することが回避される。このため、組み立てられたレンズ鏡胴において、削れカスに起因して光学性能が悪化することが防止される。
【００２６】
また、上記目的を達成する本発明のレンズ鏡胴組立方法のうちの第２のレンズ鏡胴組立方法は、
光軸方向前端部と後端部との双方に開口し、複数のレンズを収容する中空が形成され、内面と、外面と、この複数のレンズのうちの最後端側に配備される後端側レンズの後端側の面の周縁部分を押さえる後端側レンズ押さえ部とを有し、さらに前端から後端側に向かってこの後端側の一部を残す位置まで延びた、上記内面と上記外面とに貫通した溝が形成されたレンズ枠内に、上記複数のレンズを収容させ、
上記レンズ枠の上記前端側の開口を押し縮めるように、このレンズ枠内に収容された上記複数のレンズのうちの最前端側に配備された前端側レンズのこの前端側の面の周縁部分を押さえる押さえ環をこのレンズ枠に取り付けることを特徴とする。
【００２７】
本発明のレンズ鏡胴組立方法のうちの第２のレンズ鏡胴組立方法は、光軸方向両端の開口が複数のレンズそれぞれの径よりも大きな径を有するレンズ枠を用いる組立方法である。そして、この第２のレンズ鏡胴組立方法は、レンズ枠内に複数のレンズを収容させた後にレンズ枠の前端側の開口を押し縮めるように押さえ環をレンズ枠に取り付けることにより、複数のレンズをレンズ枠内に固定する組立方法である。従って、この第２のレンズ鏡胴組立方法によれば、レンズ枠内に複数のレンズを収容させるときに、両者が擦れて削れカスが発生することが回避される。このため、組み立てられたレンズ鏡胴において、削れカスに起因して光学性能が悪化することが防止される。
【００２８】
また、上記目的を達成する本発明のレンズ鏡胴組立方法のうちの第３のレンズ鏡胴組立方法は、
光軸方向前端部と後端部との双方に開口し、複数のレンズを収容する中空が形成され、内面と、外面と、この複数のレンズのうちの最後端側に配備される後端側レンズの後端側の面の周縁部分を押さえる後端側レンズ押さえ部とを有し、さらに前端から後端側に向かって後端まで延びた、上記内面と上記外面とに貫通した溝が形成されたレンズ枠のこの溝を押し広げ、
押し広げられた状態の上記レンズ枠内に、上記複数のレンズを収容させ、
上記レンズ枠の溝の押し広げを解放し、
上記レンズ枠内に収容された上記複数のレンズのうちの最前端側に配備された前端側レンズのこの前端側の面の周縁部分を押さえる押さえ環を上記レンズ枠に取り付けることを特徴とする。
【００２９】
本発明のレンズ鏡胴組立方法のうちの第３のレンズ鏡胴組立方法は、光軸方向両端の開口が複数のレンズそれぞれの径に等しいかその径よりも僅かに小さな径を有するレンズ枠を用いる組立方法である。そして、この第３のレンズ鏡胴組立方法は、溝が押し広げられた状態のレンズ枠内に複数のレンズを収容させた後に押し広げを解放することにより、複数のレンズをレンズ枠内に固定する組立方法である。従って、この第３のレンズ鏡胴組立方法によれば、レンズ枠内に複数のレンズを収容させるときに、両者が擦れて削れカスが発生することが回避される。このため、組み立てられたレンズ鏡胴において、削れカスに起因して光学性能が悪化することが防止される。
【００３０】
また、上記目的を達成する本発明のレンズ鏡胴組立方法のうちの第４のレンズ鏡胴組立方法は、
光軸方向前端部と後端部との双方に開口し、複数のレンズを収容する中空が形成され、内面と、外面と、この複数のレンズのうちの最後端側に配備される後端側レンズの後端側の面の周縁部分を押さえる後端側レンズ押さえ部とを有し、さらに前端から後端側に向かってこの後端側の一部を残す位置まで延びた、上記内面と上記外面とに貫通した溝が形成されたレンズ枠のこの溝を押し広げ、
押し広げられた状態の上記レンズ枠内に、上記複数のレンズを収容させ、
上記レンズ枠の溝の押し広げを解放し、
上記レンズ枠の上記前端側の開口を押し縮めるように、このレンズ枠内に収容された上記複数のレンズのうちの最前端側に配備された前端側レンズのこの前端側の面の周縁部分を押さえる押さえ環をこのレンズ枠に取り付けることを特徴とする。
【００３１】
本発明のレンズ鏡胴組立方法のうちの第４のレンズ鏡胴組立方法は、レンズ枠を広げてレンズおよび間隔環を挿入した後で押し縮めるため、レンズ枠のより大きな寸法公差が吸収可能となる。
【００３２】
ここで、本発明のレンズ鏡胴組立方法は、さらに、上記溝を覆い部材で覆うことが好ましい。
【００３３】
このような好ましい形態によれば、遮光性および防塵性が確保される。
【発明の効果】
【００３４】
本発明によれば、組み立て時に削れカスが発生することが回避され、組み立てられたレンズ鏡胴において、削れカスに起因して光学性能が悪化することが防止されたレンズ鏡胴およびレンズ鏡胴組立方法が提供される。
【図面の簡単な説明】
【００３５】
【図１】本発明のレンズ鏡胴の第１実施形態であるレンズ鏡胴を被写体側斜め上から見て示した斜視図である。
【図２】図１に示すレンズ鏡胴の光軸方向と平行な縦断面図である。
【図３】本発明のレンズ鏡胴の第２実施形態であるレンズ鏡胴を被写体側斜め上から見て示した斜視図である。
【図４】本発明のレンズ鏡胴の第３実施形態であるレンズ鏡胴を結像側斜め上から見て示した斜視図である。
【図５】図４に示すレンズ鏡胴の光軸方向と平行な縦断面図である。
【図６】レンズ鏡胴１００の組立方法を説明する斜視図である。
【図７】図６のレンズ鏡胴１００を被写体側から見た図である。
【図８】レンズ鏡胴２００の組立方法を説明する斜視図である。
【図９】図８のレンズ鏡胴２００を被写体側から見た図である。
【発明を実施するための形態】
【００３６】
以下、図面を参照して本発明の実施の形態を説明する。
【００３７】
図１は、本発明のレンズ鏡胴の第１実施形態であるレンズ鏡胴１００を被写体側斜め上から見て示した斜視図である。また、図２は、図１に示すレンズ鏡胴１００の光軸方向と平行な縦断面図である。
【００３８】
図１，図２に示すように、第１実施形態のレンズ鏡胴１００は、４つのレンズ１１１，１１２，１１３，１１４と、３つの間隔環１２１，１２２，１２３と、レンズ枠１３０と、押さえ環１４０とを備えている。
【００３９】
４つのレンズ１１１，１１２，１１３，１１４は、ぞれぞれガラス製のレンズであって、結像側から第１レンズ１１１、第２レンズ１１２、第３レンズ１１３、第４レンズ１１４の順に、光軸が重なるよう配置されている。各レンズ１１１，１１２，１１３，１１４は円盤形であり、外径（側面）は研磨されておらず、＃１０００以下のスリ面とされている。側面がスリ面であることによってゴーストなどの悪影響が抑えられる。側面のスリ面は、加工の容易さから＃３００以下であることが好ましい。これら４つのレンズ１１１，１１２，１１３，１１４が、本発明にいう複数のレンズの一例に相当するものである。また、被写体側が本発明にいう光軸方向前端側の一例に相当し、結像側が本発明にいう光軸方向後端側の一例に相当する。また、これら４つのレンズ１１１，１１２，１１３，１１４のうちの第１レンズ１１１が、本発明にいう後端側レンズの一例に相当するものであり、第４レンズ１１４が、本発明にいう前端側レンズの一例に相当するものである。
【００４０】
３つの間隔環１２１，１２２，１２３は、４つのレンズ１１１，１１２，１１３，１１４における隣接するレンズ間に配置されている。すなわち、第１レンズ１１１と第２レンズ１１２との間に第１間隔環１２１が配置され、第２レンズ１１２と第３レンズ１１３との間に第２間隔環１２２が配置され、第３レンズ１１３と第４レンズ１１４との間に第３間隔環１２３が配置されている。これら３つの間隔環１２１，１２２，１２３のそれぞれが、本発明にいう間隔環の一例に相当するものである。
【００４１】
レンズ枠１３０は、４つのレンズ１１１，１１２，１１３，１１４の硬度よりも高い硬度を有する多孔質のセラミック製部材である。また、このレンズ枠１３０は、光軸方向である矢印Ａ方向両端に開口し、４つのレンズ１１１，１１２，１１３，１１４および３つの間隔環１２１，１２２，１２３を収容する中空が形成され、内面１３１と、外面１３２とを有する。また、このレンズ枠１３０は、４つのレンズ１１１，１１２，１１３，１１４のうちの最結像側に配備される第１レンズ１１１の結像側の面の周縁部分１１１１を押さえる結像側レンズ押さえ部１３３を有する。さらに、このレンズ枠１３０には、被写体側前端１３４から結像側に向かって結像側の一部を残す位置まで延びた、内面１３１と外面１３２とに貫通した３本の溝１３５が周回方向に断続的に形成されている。これら３本の溝１３５それぞれの幅は、例えば０．１ｍｍ以上０．５ｍｍ以下が好ましい。そして、これら３本の溝１３５それぞれの結像側端部１３５１が、角の形成を免れるように丸められた形状を有する。そのため、このレンズ鏡胴１００の組み立て時において、溝１３５を押し広げたり、レンズ枠１３０の被写体側開口を押し縮めたりしても、応力集中によって溝１３５の結像側端部１３５１が破断することが回避される。この丸められた形状の半径寸法は、例えば０．１ｍｍ以上０．３ｍｍ以下が好ましい。また、レンズ枠１３０の内面１３１には、被写体側前端１３４から結像側に向かって途中まで延びた３本の治具装入溝１３８が設けられている。治具装入溝１３８は、レンズ鏡胴１００の組み立て時に治具が一時的に装入されるための溝である。３本の治具装入溝１３８のそれぞれは、上述した３本の溝１３５の相互間に配置されている。ここで、レンズ枠１３０が、本発明にいうレンズ枠の一例に相当するものである。尚、すでに説明した間隔環１２１，１２２，１２３には、レンズ枠１３０と同様にセラミック製の部材が採用可能であり、また、樹脂やガラスも採用可能である。
【００４２】
押さえ環１４０は、例えばレンズ枠１３０と同じ材質であるセラミック製部材であり、概略筒状であり、一方の開口端は筒の中央に向かって張り出した形状を有している。また、この押さえ環１４０は、レンズ枠１３０に支持されている。より詳細には、押さえ環１４０はレンズ枠１３０の被写体側の端に被さり、レンズ枠１３０に固定されている。尚、押さえ環１４０のレンズ枠１３０への固定は、接着固定であってもよく、あるいは、押さえ環１４０の内周およびレンズ枠１３０の外面１３２にねじ山を設けてなるねじ止め固定であってもよい。また、この押さえ環１４０は、レンズ枠１３０内に収容された４つのレンズ１１１，１１２，１１３，１１４のうちの最被写体側に配備される第４レンズ１１４の被写体側の面の周縁部分１１４１を押さえている。つまり、４つのレンズ１１１，１１２，１１３，１１４および３つの間隔環１２１，１２２，１２３は、レンズ枠１３０の結像側レンズ押さえ部１３３と押さえ環１４０との間に挟み付けられている。この押さえ環１４０が、本発明にいう押さえ環の一例に相当するものである。
【００４３】
このように構成されたレンズ鏡胴１００では、レンズ枠１３０内に収容された４つのレンズ１１１，１１２，１１３，１１４の、光軸方向である矢印Ａ方向の位置が、結像側レンズ押さえ部１３３、３つの間隔環１２１，１２２，１２３、および押さえ環１４０によって決められている。
【００４４】
ここで、レンズ１１１，１１２，１１３，１１４、レンズ枠１３０、および、押さえ環１４０の硬度についてより詳細に説明する。レンズ１１１，１１２，１１３，１１４はガラス製であり、硬度はＨＶ３００以上８００以下である。また、レンズ枠１３０および押さえ環１４０はセラミック製であり、硬度はＨＶ２６００以下である。レンズ枠１３０および押さえ環１４０の硬度は耐衝撃性の観点からＨＶ５００以上２６００以下であることが好ましい。尚、ここでは、ビッカース硬度（ＨＶ）の数値によって硬度を表しているが、この数値は、ヌープ硬さ（Ｈｋ）であってもほぼ同等である。
【００４５】
このように構成されたレンズ鏡胴１００において、４つのレンズ１１１，１１２，１１３，１１４それぞれの外径とレンズ枠１３０の内面１３１との間は、レンズの軸ズレなどによる光学性能の低下を起さないよう、押さえ環１４０がレンズ枠１３０に固定された状態で２０μｍ以下のクリアランス、好ましくは１０μｍ以下のクリアランスとなるように公差管理されている。
【００４６】
第１実施形態のレンズ鏡胴１００は、４つのレンズ１１１，１１２，１１３，１１４および３つの間隔環１２１，１２２，１２３を収容する中空が形成されたレンズ枠１３０が、内面１３１と外面１３２とに貫通した３本の溝１３５が周回方向に断続的に形成されたものであって、その溝１３５は、被写体側前端１３４から結像側に向かって結像側の一部を残す位置まで延びている。従って、第１実施形態のレンズ鏡胴１００によれば、光軸方向である矢印Ａ方向両端の開口が４つのレンズ１１１，１１２，１１３，１１４および３つの間隔環１２１，１２２，１２３それぞれの径に等しいかその径よりも僅かに小さな径を有するようにレンズ枠１３０を形成することによって、このレンズ鏡胴１００の組み立て時において、その溝１３５が押し広げられた状態のレンズ枠１３０内に４つのレンズ１１１，１１２，１１３，１１４および３つの間隔環１２１，１２２，１２３を収容させた後に元に戻すことにより、４つのレンズ１１１，１１２，１１３，１１４および３つの間隔環１２１，１２２，１２３をレンズ枠１３０内に固定することができる。あるいは、第１実施形態のレンズ鏡胴１００によれば、光軸方向である矢印Ａ方向両端の開口が４つのレンズ１１１，１１２，１１３，１１４および３つの間隔環１２１，１２２，１２３それぞれの径よりも大きな径を有するようにレンズ枠１３０を形成することによって、このレンズ鏡胴１００の組み立て時において、レンズ枠１３０内に４つのレンズ１１１，１１２，１１３，１１４および３つの間隔環１２１，１２２，１２３を収容させた後にレンズ枠１３０の被写体側開口を押し縮めるように押さえ環１４０をレンズ枠１３０に取り付けることにより、４つのレンズ１１１，１１２，１１３，１１４および３つの間隔環１２１，１２２，１２３をレンズ枠１３０内に固定することができる。よって、第１実施形態のレンズ鏡胴１００によれば、レンズ枠１３０内に４つのレンズ１１１，１１２，１１３，１１４および３つの間隔環１２１，１２２，１２３を収容させるときに、両者が擦れて削れカスが発生することが回避される。このため、削れカスに起因して光学性能が悪化することが防止される。尚、レンズ鏡胴１００の組立方法については後述する。
【００４７】
以上で、本発明のレンズ鏡胴の第１実施形態の説明を終了し、本発明のレンズ鏡胴の第２実施形態について説明する。
【００４８】
尚、以下説明する第２実施形態は、上述した第１実施形態のレンズ鏡胴１００に覆い部材がさらに備えられたものである。
【００４９】
以下、第１実施形態における要素と同じ要素については同じ符号を付して説明を省略し、第１実施形態との相違点についてのみ説明する。
【００５０】
図３は、本発明のレンズ鏡胴の第２実施形態であるレンズ鏡胴２００を被写体側斜め上から見て示した斜視図である。
【００５１】
図３に示すように、第２実施形態のレンズ鏡胴２００は、４つのレンズ１１１，１１２，１１３，１１４と、３つの間隔環１２１，１２２，１２３と、レンズ枠１３０と、押さえ環１４０と、覆い部材２５０とを備えている。
【００５２】
覆い部材２５０は、レンズ枠１３０に形成された溝１３５を覆うものである。この覆い部材２５０が、本発明にいう覆い部材の一例に相当するものである。
【００５３】
第２実施形態のレンズ鏡胴２００によれば、第１実施形態のレンズ鏡胴１００と同様に、レンズ枠１３０内に４つのレンズ１１１，１１２，１１３，１１４および３つの間隔環１２１，１２２，１２３を収容させるときに、両者が擦れて削れカスが発生することが回避される。このため、削れカスに起因して光学性能が悪化することが防止される。さらに、第２実施形態のレンズ鏡胴２００によれば、レンズ枠１３０に形成された溝１３５を覆う覆い部材２５０によって、遮光性および防塵性が確保される。尚、レンズ鏡胴２００の組立方法については後述する。
【００５４】
以上で、本発明のレンズ鏡胴の第２実施形態の説明を終了し、本発明のレンズ鏡胴の第３実施形態について説明する。
【００５５】
尚、以下説明する第３実施形態は、レンズ枠が上述した第１実施形態とは異なる。
【００５６】
以下、第１実施形態における要素と同じ要素については同じ符号を付して説明を省略し、第１実施形態との相違点についてのみ説明する。
【００５７】
図４は、本発明のレンズ鏡胴の第３実施形態であるレンズ鏡胴３００を結像側斜め上から見て示した斜視図である。また、図５は、図４に示すレンズ鏡胴３００の光軸方向と平行な縦断面図である。
【００５８】
図４，図５に示すように、第３実施形態のレンズ鏡胴３００は、４つのレンズ１１１，１１２，１１３，１１４と、３つの間隔環１２１，１２２，１２３と、レンズ枠３３０と、押さえ環１４０とを備えている。
【００５９】
レンズ枠３３０には、第１実施形態における３本の溝１３５に換えて、被写体側前端１３４から結像側に向かって結像側後端３３６まで延びた、内面１３１と外面１３２とに貫通した１本の溝３３５が形成されている。この溝３３５の幅は、例えば０．１ｍｍ以上０．５ｍｍ以下が好ましい。また、レンズ枠３３０の内面１３１には、被写体側前端１３４から結像側に向かって途中まで延びた３本の治具装入溝（図示省略）が設けられている。この治具装入溝は、レンズ鏡胴１００の組み立て時に治具が一時的に装入されるための溝である。３本の治具装入溝のそれぞれは、周回方向に断続的に配置されている。ここで、レンズ枠３３０が、本発明にいうレンズ枠の一例に相当するものである。
【００６０】
このように構成されたレンズ鏡胴３００では、レンズ枠３３０内に収容された４つのレンズ１１１，１１２，１１３，１１４の、光軸方向である矢印Ａ方向の位置が、結像側レンズ押さえ部１３３、３つの間隔環１２１，１２２，１２３、および押さえ環１４０によって決められている。
【００６１】
また、このように構成されたレンズ鏡胴３００において、４つのレンズ１１１，１１２，１１３，１１４それぞれの外径とレンズ枠３３０の内面１３１との間は、レンズの軸ズレなどによる光学性能の低下を起さないよう、押さえ環１４０がレンズ枠３３０に固定された状態で２０μｍ以下のクリアランス、好ましくは１０μｍ以下のクリアランスとなるように公差管理されている。
【００６２】
第３実施形態のレンズ鏡胴３００は、４つのレンズ１１１，１１２，１１３，１１４および３つの間隔環１２１，１２２，１２３を収容する中空が形成されたレンズ枠３３０が、内面１３１と外面１３２とに貫通した１本の溝３３５が形成されたものであって、その溝３３５は、被写体側前端１３４から結像側に向かって結像側後端３３６まで延びている。従って、第３実施形態のレンズ鏡胴３００によれば、光軸方向である矢印Ａ方向両端の開口が４つのレンズ１１１，１１２，１１３，１１４および３つの間隔環１２１，１２２，１２３それぞれの径に等しいかその径よりも僅かに小さな径を有するようにレンズ枠３３０を形成することによって、このレンズ鏡胴３００の組み立て時において、その溝３３５が押し広げられた状態のレンズ枠３３０内に４つのレンズ１１１，１１２，１１３，１１４および３つの間隔環１２１，１２２，１２３を収容させた後に元に戻すことにより、４つのレンズ１１１，１１２，１１３，１１４および３つの間隔環１２１，１２２，１２３をレンズ枠３３０内に固定することができる。よって、第３実施形態のレンズ鏡胴３００によれば、レンズ枠３３０内に４つのレンズ１１１，１１２，１１３，１１４および３つの間隔環１２１，１２２，１２３を収容させるときに、両者が擦れて削れカスが発生することが回避される。このため、削れカスに起因して光学性能が悪化することが防止される。尚、第３実施形態のレンズ鏡胴３００には、第２実施形態のレンズ鏡胴２００と同様に、溝３３５を覆う覆い部材が設けられていてもよい。レンズ鏡胴３００の組立方法については後述する。
【００６３】
以上で、本発明のレンズ鏡胴の第３実施形態の説明を終了し、本発明のレンズ鏡胴組立方法の第１実施形態について説明する。
【００６４】
以下説明する第１実施形態は、図１，図２を参照して説明したレンズ鏡胴１００の組立方法である。尚、この組立方法は、図３を参照して説明したレンズ鏡胴２００の組立方法としても適用できるが、ここでは、レンズ鏡胴１００の組立方法について説明する。
【００６５】
以下、そのレンズ鏡胴１００の構成要素それぞれについては同じ符号を付して説明を省略し、レンズ鏡胴１００（図１，図２参照）の組立方法についてのみ説明する。
【００６６】
図６は、レンズ鏡胴１００の組立方法を説明する斜視図であり、図７は、図６のレンズ鏡胴１００を被写体側から見た図である。
【００６７】
光軸方向である矢印Ａ方向両端の開口が４つのレンズ１１１，１１２，１１３，１１４および３つの間隔環１２１，１２２，１２３それぞれの径に等しいかその径よりも僅かに小さな径を有するレンズ枠１３０の溝１３５を押し広げる。具体的には、レンズ枠１３０の３つの治具装入溝１３８に治具Ｊ１を挿入し、治具Ｊ１によってレンズ枠１３０を内側から外側に向かって広げる。尚、レンズ枠１３０の溝１３５を押し広げることによるレンズ枠１３０の内径拡大量は、例えば０．０１ｍｍ以上、好ましくは０．１ｍｍ前後である。
【００６８】
次に、押し広げられた状態のレンズ枠１３０内に、４つのレンズ１１１，１１２，１１３，１１４および３つの間隔環１２１，１２２，１２３を収容させる。治具Ｊ１の治具装入溝１３８に挿入される部分の厚みは、治具装入溝１３８の高さよりも薄く形成されており、治具Ｊ１に対する、４つのレンズ１１１，１１２，１１３，１１４および３つの間隔環１２１，１２２，１２３の接触が避けられる。
【００６９】
次に、治具Ｊ１による押し広げを解除し、治具Ｊ１を治具装入溝１３８から抜き取る。これによって、レンズ枠１３０の押し広げられた状態が解放され元の状態に戻る。
【００７０】
最後に、押さえ環１４０をレンズ枠１３０に取り付け、４つのレンズ１１１，１１２，１１３，１１４のうちの最被写体側に配備される第４レンズ１１４の被写体側の面の周縁部分１１４１を押さえる。これによって、４つのレンズ１１１，１１２，１１３，１１４および３つの間隔環１２１，１２２，１２３が、レンズ枠１３０の結像側レンズ押さえ部１３３と押さえ環１４０との間に挟み付けられ、レンズ枠１３０内で固定される。
【００７１】
第１実施形態のレンズ鏡胴組立方法は、溝１３５が押し広げられた状態のレンズ枠１３０内に４つのレンズ１１１，１１２，１１３，１１４および３つの間隔環１２１，１２２，１２３を収容させた後に元に戻すことにより、４つのレンズ１１１，１１２，１１３，１１４および３つの間隔環１２１，１２２，１２３をレンズ枠１３０内に固定する組立方法である。従って、第１実施形態のレンズ鏡胴組立方法によれば、レンズ枠１３０内に４つのレンズ１１１，１１２，１１３，１１４および３つの間隔環１２１，１２２，１２３を収容させるときに、両者が擦れて削れカスが発生することが回避される。このため、組み立てられたレンズ鏡胴１００において、削れカスに起因して光学性能が悪化することが防止される。
【００７２】
以上で、本発明のレンズ鏡胴組立方法の第１実施形態の説明を終了し、本発明のレンズ鏡胴組立方法の第２実施形態について説明する。
【００７３】
以下説明する第２実施形態は、図３を参照して説明したレンズ鏡胴２００の組立方法である。尚、この組立方法は、図１，図２を参照して説明したレンズ鏡胴１００の組立方法としても適用できるが、ここでは、レンズ鏡胴２００の組立方法について説明する。
【００７４】
以下、そのレンズ鏡胴２００の構成要素それぞれについては同じ符号を付して説明を省略し、レンズ鏡胴２００（図３参照）の組立方法についてのみ説明する。
【００７５】
まず、光軸方向である矢印Ａ方向両端の開口が４つのレンズ１１１，１１２，１１３，１１４および３つの間隔環１２１，１２２，１２３それぞれの径よりも大きな径を有するレンズ枠１３０内に、４つのレンズ１１１，１１２，１１３，１１４および３つの間隔環１２１，１２２，１２３を収容させる。
【００７６】
次に、レンズ枠１３０の被写体側開口を押し縮めるように、押さえ環１４０をレンズ枠１３０に取り付け、４つのレンズ１１１，１１２，１１３，１１４のうちの最被写体側に配備される第４レンズ１１４の被写体側の面の周縁部分１１４１を押さえる。
【００７７】
図８は、レンズ鏡胴２００の組立方法を説明する斜視図であり、図９は、図８のレンズ鏡胴２００を被写体側から見た図である。
【００７８】
実際に、押さえ環１４０（図３参照）をレンズ枠１３０に取り付ける際には、図８および図９に示すように、レンズ枠１３０の外側に３方から治具Ｊ２を押し当てて、レンズ枠１３０の外側から内側に荷重することによりレンズ枠１３０の被写体側開口を押し縮める。この押し縮めた状態で、押さえ環１４０（図３参照）をレンズ枠１３０に取り付ける。治具Ｊ２が取り外された後も、押さえ環１４０によってレンズ枠１３０の押し縮めた状態が保持される。
【００７９】
最後に、レンズ枠１３０に形成された溝１３５を覆い部材２５０で覆う。これによって、４つのレンズ１１１，１１２，１１３，１１４および３つの間隔環１２１，１２２，１２３が、レンズ枠１３０の結像側レンズ押さえ部１３３と押さえ環１４０との間に挟み付けられ、レンズ枠１３０内で固定される。
【００８０】
第２実施形態のレンズ鏡胴組立方法は、レンズ枠１３０内に４つのレンズ１１１，１１２，１１３，１１４および３つの間隔環１２１，１２２，１２３を収容させた後にレンズ枠１３０の被写体側開口を押し縮めるように押さえ環１４０をレンズ枠１３０に取り付けることにより、４つのレンズ１１１，１１２，１１３，１１４および３つの間隔環１２１，１２２，１２３をレンズ枠１３０内に固定する組立方法である。従って、第２実施形態のレンズ鏡胴組立方法によれば、レンズ１３０枠内に４つのレンズ１１１，１１２，１１３，１１４および３つの間隔環１２１，１２２，１２３を収容させるときに、両者が擦れて削れカスが発生することが回避される。このため、組み立てられたレンズ鏡胴２００において、削れカスに起因して光学性能が悪化することが防止される。また、第２実施形態のレンズ鏡胴組立方法によれば、溝１３５を覆う覆い部材２５０によって、遮光性および防塵性が確保される。
【００８１】
以上で、本発明のレンズ鏡胴組立方法の第２実施形態の説明を終了し、本発明のレンズ鏡胴組立方法の第３実施形態について説明する。
【００８２】
以下説明する第３実施形態は、図４，図５を参照して説明したレンズ鏡胴３００の組立方法である。
【００８３】
以下、そのレンズ鏡胴３００の構成要素それぞれについては同じ符号を付して説明を省略し、レンズ鏡胴３００（図４，図５参照）の組立方法についてのみ説明する。
【００８４】
まず、光軸方向である矢印Ａ方向両端の開口が４つのレンズ１１１，１１２，１１３，１１４および３つの間隔環１２１，１２２，１２３それぞれの径に等しいかその径よりも僅かに小さな径を有するレンズ枠３３０の溝３３５を押し広げる。具体的には、レンズ枠３３０の３つの治具装入溝に、図６，図７を参照して説明した治具Ｊ１と同様の治具Ｊ１を挿入し、治具Ｊ１によってレンズ枠３３０を内側から外側に向かって広げる。尚、レンズ枠３３０の溝３３５を押し広げることによるレンズ枠３３０の内径拡大量は、例えば０．０１ｍｍ以上、好ましくは０．１ｍｍ前後である。
【００８５】
次に、押し広げられた状態のレンズ枠３３０内に、４つのレンズ１１１，１１２，１１３，１１４および３つの間隔環１２１，１２２，１２３を収容させる。治具Ｊ１の治具装入溝に挿入される部分の厚みは、治具装入溝の高さよりも薄く形成されており、治具Ｊ１に対する、４つのレンズ１１１，１１２，１１３，１１４および３つの間隔環１２１，１２２，１２３の接触が避けられる。
【００８６】
次に、治具Ｊ１による押し広げを解除し、治具Ｊ１を治具装入溝から抜き取る。これによって、レンズ枠３３０の押し広げられた状態が解放され元の状態に戻る。
【００８７】
最後に、押さえ環１４０をレンズ枠３３０に取り付け、４つのレンズ１１１，１１２，１１３，１１４のうちの最被写体側に配備される第４レンズ１１４の被写体側の面の周縁部分１１４１を押さえる。これによって、４つのレンズ１１１，１１２，１１３，１１４および３つの間隔環１２１，１２２，１２３が、レンズ枠３３０の結像側レンズ押さえ部１３３と押さえ環１４０との間に挟み付けられ、レンズ枠３３０内で固定される。
【００８８】
第３実施形態のレンズ鏡胴組立方法は、溝３３５が押し広げられた状態のレンズ枠３３０内に４つのレンズ１１１，１１２，１１３，１１４および３つの間隔環１２１，１２２，１２３を収容させた後に元に戻すことにより、４つのレンズ１１１，１１２，１１３，１１４および３つの間隔環１２１，１２２，１２３をレンズ枠３３０内に固定する組立方法である。従って、第３実施形態のレンズ鏡胴組立方法によれば、レンズ枠３３０内に４つのレンズ１１１，１１２，１１３，１１４および３つの間隔環１２１，１２２，１２３を収容させるときに、両者が擦れて削れカスが発生することが回避される。このため、組み立てられたレンズ鏡胴３００において、削れカスに起因して光学性能が悪化することが防止される。
【００８９】
以上で、本発明のレンズ鏡胴組立方法の第３実施形態の説明を終了し、本発明のレンズ鏡胴組立方法の第４実施形態について説明する。
【００９０】
第１実施形態のレンズ鏡胴組立方法では、レンズ枠１３０を内側から外側に向かって広げた状態でレンズおよび間隔環を挿入し、第２実施形態のレンズ鏡胴組立方法では、レンズおよび間隔環を挿入してからレンズ枠１３０を押し縮めるが、第４実施形態のレンズ鏡胴組立方法では、レンズ枠１３０を内側から外側に向かって広げた状態でレンズおよび間隔環を挿入し、さらに、押さえ環１４０によってレンズ枠１３０を押し縮める。
【００９１】
図６〜９をそのまま流用して説明すると、第４実施形態レンズ鏡胴組立方法では、図６および図７に示すように、レンズ枠１３０の３つの治具装入溝１３８に治具Ｊ１を挿入し、治具Ｊ１によってレンズ枠１３０を内側から外側に向かって広げる。
【００９２】
次に、押し広げられた状態のレンズ枠１３０内に、４つのレンズ１１１，１１２，１１３，１１４および３つの間隔環１２１，１２２，１２３を収容させる。
【００９３】
次に、治具Ｊ１による押し広げを解除し、治具Ｊ１を治具装入溝１３８から抜き取る。
【００９４】
次に、図８および図９に示すように、レンズ枠１３０の外側に３方から治具Ｊ２を押し当てて、レンズ枠１３０の被写体側開口を押し縮める。この押し縮めた状態で、押さえ環１４０（図３参照）をレンズ枠１３０に取り付ける。
【００９５】
第４実施形態のレンズ鏡胴組立方法では、レンズ枠１３０を広げてレンズおよび間隔環を挿入した後で押し縮めるため、レンズ枠１３０のより大きな寸法公差が吸収可能となる。
【００９６】
尚、上述した実施形態では、本発明にいう複数のレンズが、４つのレンズである例を挙げて説明したが、本発明にいう複数のレンズは、これに限られるものではない。
【００９７】
また、上述した実施形態では、本発明にいう、レンズ枠の被写体側前端から結像側に向かって結像側の一部を残す位置まで延びた溝が、３本である例を挙げて説明したが、本発明にいうその溝は、これに限られるものではない。
【００９８】
また、上述した実施形態では、本発明における光軸方向前端側および後端側を、それぞれ被写体側および結像側とした例で説明したが、本発明はこれに限られるものでなく、結像側が本発明における前端側であり被写体側が本発明における後端側であってもよい。
【符号の説明】
【００９９】
１００，２００，３００    レンズ鏡胴
１１１    第１レンズ
１１１１    周縁部分
１１２    第２レンズ
１１３    第３レンズ
１１４    第４レンズ
１１４１    周縁部分
１２１    第１間隔環
１２２    第２間隔環
１２３    第３間隔環
１３０，３３０    レンズ枠
１３１    内面
１３２    外面
１３３    結像側レンズ押さえ部
１３４    被写体側前端
１３５，３３５    溝
１３５１    結像側端部
３３６    結像側後端
１４０    押さえ環
２５０    覆い部材
【図１】
2012002946.tif 000003
【図２】
2012002946.tif 000004
【図３】
2012002946.tif 000005
【図４】
2012002946.tif 000006
【図５】
2012002946.tif 000007
【図６】
2012002946.tif 000008
【図７】
2012002946.tif 000009
【図８】
2012002946.tif 000010
【図９】
2012002946.tif 000011